(57)【要約】  【課題】  環境に関する物理量を表すデータを送信することが可能なリモートコントローラ等を提供する。  【解決手段】  このリモートコントローラ２は、温度、湿度、及び、照度を測定するためのセンサ部１１と、テレビジョン装置３に対するユーザの操作を受け付けるための操作部１２と、データを送信するための無線送信部１４と、操作部１２がテレビジョン装置３に対するユーザの操作を受け付けた場合に、操作の内容を表すデータ、並びに、温度、湿度、及び、照度を表すデータの送信を無線送信部１４に行わせるＣＰＵ１３とを具備する。【選択図】  図１
2007005964.tif 000002
【特許請求の範囲】
【請求項１】
所定の装置を遠隔操作するためのリモートコントローラであって、
前記所定の装置に対するユーザの操作を受け付けるための操作部と、
環境に関する物理量を測定するためのセンサ部と、
データを送信するための送信部と、
前記操作部が前記所定の装置に対するユーザの操作を受け付けた場合に、前記操作の内容を表すデータ及び前記物理量を表すデータの送信を前記送信部に行わせる制御部と、
を具備する、リモートコントローラ。
【請求項２】
前記物理量が、温度、湿度、照度、気圧、時刻、音圧、又は、臭いを含む、請求項１記載のリモートコントローラ。
【請求項３】
請求項１又は２記載のリモートコントローラと、
前記リモートコントローラから送信される前記物理量を表すデータに基づいて前記物理量を調節するための動作を行う、少なくとも１つの環境調節装置と、
を具備する、システム。
【請求項４】
前記環境調節装置が、エアコンディショナ、加湿器、照明装置、遮光装置、加圧装置、減圧装置、時計、遮音装置、又は、脱臭装置を含む、請求項３記載のシステム。
【発明の詳細な説明】
【技術分野】
【０００１】
本発明は、所定の装置を遠隔操作するためのリモートコントローラに関する。さらに、本発明は、そのようなリモートコントローラを具備するシステムに関する。
【背景技術】
【０００２】
現在、種々の装置（テレビジョン装置等）を遠隔操作するために、リモートコントローラが広く用いられている。このリモートコントローラは、装置に対するユーザの操作を受け付けた場合に、操作の内容を表すデータを赤外線、電波等を用いて装置に送信し、装置は、操作の内容を表すデータに従って動作を行う。
【０００３】
ところで、下記の特許文献１には、布団乾燥装置に付属のリモートコントローラが現在の日付を自動計測しており、乾燥運転の開始時にこの日付情報を室内ユニットに送信することが掲載されている。
特許文献１掲載のリモートコントローラによれば、現在の日付を自動計測して送信することができる。しかしながら、このリモートコントローラは、布団乾燥装置に付属するものであり、布団乾燥装置以外のものと通信することができるものではない。
【０００４】
また、下記の非特許文献１には、明暗センサーによって昼と夜を推定し、照明器具及びテレビの電源をオン／オフさせることができるリモコンが掲載されている。
【０００５】
しかしながら、特許文献１掲載のリモコンは、人間が外出している間に照明器具及びテレビの電源をオン／オフさせるためのものであり、人間が在宅している間に環境を調節するためのものではない。
また、特許文献１掲載のリモコンは、照明器具及びテレビの電源をオン／オフさせるためのコマンドを照明器具及びテレビに送信するものであり、明暗センサーによってセンシングされた値を照明器具及びテレビに送信するものではない。従って、リモコンの設計・製造時に考慮されていない装置（ここでは、照明器具及びテレビ以外の装置）の制御を行うことはできない。
【０００６】
【特許文献１】特開平７−１３６３９１号公報（第１頁、図１）
【非特許文献１】“留守番リモコン  いますよ  ＴＭ４０１Ｐ”、[online]、２００５年、松下電器産業株式会社、[平成１７年６月１日検索]、インターネット＜ＵＲＬ：http://ctlg.national.jp/product/info.do?pg=04&hb=TM401P＞
【発明の開示】
【発明が解決しようとする課題】
【０００７】
そこで、上記の点に鑑み、本発明は、所定の装置を遠隔操作するためのリモートコントローラであって、環境を調節することが可能なリモートコントローラを提供することを目的とする。また、本発明は、そのようなリモートコントローラを具備したシステムを提供することを更なる目的とする。
【課題を解決するための手段】
【０００８】
以上の課題を解決するため、本発明に係るリモートコントローラは、所定の装置を遠隔操作するためのリモートコントローラであって、所定の装置に対するユーザの操作を受け付けるための操作部と、環境に関する物理量を測定するためのセンサ部と、データを送信するための送信部と、操作部が所定の装置に対するユーザの操作を受け付けた場合に、操作の内容を表すデータ及び物理量を表すデータの送信を送信部に行わせる制御部とを具備する。
【０００９】
このリモートコントローラにおいて、物理量が、温度、湿度、照度、気圧、時刻、音圧、又は、臭いを含むようにしても良い。
【００１０】
また、上記の課題を解決するため、本発明に係るシステムは、本発明に係るリモートコントローラと、リモートコントローラから送信される物理量を表すデータに基づいて物理量を調節するための動作を行う、少なくとも１つの環境調節装置とを具備する。
【００１１】
このシステムにおいて、環境調節装置が、エアコンディショナ、加湿器、照明装置、遮光装置、加圧装置、減圧装置、時計、遮音装置、又は、脱臭装置を含むようにしても良い。
【発明を実施するための最良の形態】
【００１２】
以下、図面を参照しながら、本発明の実施の形態について説明する。なお、同一の構成要素については、同一の参照番号で示している。
図１は、本発明の一実施形態に係るリモートコントローラを用いたシステムの概要を示す図である。このシステム１は、本発明の一実施形態としてのリモートコントローラ２と、テレビジョン装置３と、照明装置４と、エアコンディショナ５と、遮光装置６と、加湿器７とを具備する。
【００１３】
リモートコントローラ２は、所定の装置（ここでは、テレビジョン装置３とする）を遠隔操作するためのものであり、センサ部１１と、操作部１２と、ＣＰＵ（中央演算処理装置）１３と、無線送信部１４とを具備する。
【００１４】
センサ部１１は、環境に関する物理量（ここでは、温度、湿度、及び、照度とする）を測定するための温度センサ２１と、湿度センサ２２と、照度センサ２３とを具備する。
操作部１２は、テレビジョン装置３に対するユーザの操作を受け付けるためのものであり、例えば、チャンネルの選択等を行うための複数のキーを有する。
【００１５】
ＣＰＵ１３は、操作部１２がテレビジョン装置３に対するユーザの操作を受け付けた場合に、操作の内容を表すデータ（コマンド）、並びに、温度、湿度、照度を表すデータを含むパケットの送信を無線送信部１４に行わせる。
無線送信部１４は、ＣＰＵ１３からの指示に従って、操作の内容を表すデータ（コマンド）、並びに、温度、湿度、照度を表すデータを含むパケットを周囲の空間に無線（電波、赤外線等）送信する。
【００１６】
図２は、リモートコントローラ２が送信するパケットのフォーマットを示す図である。図２に示すように、リモートコントローラ２が送信するパケットの先頭部には、テレビジョン装置３に対するユーザの操作の内容を表すデータ（コマンド）が格納されている。
リモートコントローラ２が送信するパケットの末尾部には、温度を表すデータ、湿度を表すデータ、及び、照度を表すデータが格納されている。これらのデータは、ユーザが意識することなく送信される。
【００１７】
再び図１を参照すると、テレビジョン装置３は、リモートコントローラ２が出力するパケット（図２参照）の先頭部を監視しており、操作の内容を表すデータ（コマンド）に応じた動作（例えば、パワーオン、パワーオフ、チャンネルの切り換え等）を行う。
照明装置４、エアコンディショナ５、遮光装置６、及び、加湿器７は、リモートコントローラ２が出力するパケット内の温度、湿度、及び／又は、照度を監視しており、これらの値に応じた動作を行う。
【００１８】
照明装置４は、リモートコントローラ２が出力するパケット内の照度の値が所定値以下である場合に発光し、リモートコントローラ２が出力するパケット内の照度の値が所定値より大きい場合に発光を停止する。
エアコンディショナ５は、リモートコントローラ２が出力するパケット内の温度の値が所定値以下である場合に暖房動作を行い、リモートコントローラ２が出力するパケット内の温度の値が所定値より大きい場合に冷房動作を行う。また、エアコンディショナ５は、リモートコントローラ２が出力するパケット内の湿度の値が所定値より大きい場合に、除湿動作を行う。
【００１９】
遮光装置６は、受信部３１と、モータ３２と、ベルト、チェーン、ギヤ等の駆動機構３３と、カーテン、ブラインド等の遮光部材３４ａ、３４ｂとを具備する。
受信部３１は、リモートコントローラ２が出力するパケット内の照度の値が所定値以下である場合に、モータ３２を第１の方向に回転させ、遮光部材３４ａ、３４ｂを開く。また、受信部３１は、リモートコントローラ２が出力するパケット内の照度の値が所定値より大きい場合に、モータ３２を第１の方向とは反対の第２の方向に回転させ、遮光部材３４ａ、３４ｂを閉じる。
【００２０】
加湿器７は、リモートコントローラ２が出力するパケット内の湿度の値が所定値以下の場合に加湿動作を行う。
【００２１】
以上説明したように、リモートコントローラ２によれば、テレビジョン装置３に対するユーザの操作を受け付けた場合に、操作の内容を表すデータ、並びに、温度、湿度、及び、照度を表すデータを含むパケットを送信する。これにより、ユーザが意識することなく、温度、湿度、及び、照度を調節することが可能となる。
【００２２】
また、リモートコントローラ２が、テレビジョン装置３に対するユーザの操作を受け付けた場合に、パケットの送信を行うので、人間が外出している間に照明装置４、エアコンディショナ５、遮光装置６、又は、加湿器７が無駄に動作してしまうことがない。
【００２３】
なお、本実施形態においては、リモートコントローラ２がテレビジョン装置３を遠隔操作するためのものであることとしているが、他の装置（例えば、ＤＶＤ（デジタル多用途ディスク）プレーヤ、オーディオ装置等）を遠隔操作するためのものであることとしても良い。
【００２４】
また、リモートコントローラ２がパケットを無線（電波、赤外線等）送信することとしているが、有線（導線、光ファイバ等）送信することとしても良い。
【００２５】
また、リモートコントローラ２が、温度センサ２１、湿度センサ２２、及び、照度センサ２３を具備することとしているが、気圧センサ、時刻センサ（電波時計モジュール）、音圧センサ、臭いセンサ、風力センサ、風向センサ、降雨量センサ等を具備することとしても良い。この場合、システム１が、加圧装置、減圧装置、時計、遮音装置、脱臭装置等を具備することとし、これらの装置が、気圧、時刻、音圧、臭い等の値に応じて動作を行うようにすれば良い。
【００２６】
また、本実施形態においては、人間の住居の環境を調節することとしているが、畜舎、温室等の環境を調節することとしても良い。
【産業上の利用可能性】
【００２７】
本発明は、リモートコントローラ及びそれを具備するシステムにおいて利用可能である。
【図面の簡単な説明】
【００２８】
【図１】本発明の一実施形態に係るシステムを示す図。
【図２】図１のリモートコントローラ２が送信するパケットを示す図。
【符号の説明】
【００２９】
１  システム、  ２  リモートコントローラ、  ３  テレビジョン装置、  ４  照明装置、  ５  エアコンディショナ、  ６  遮光装置、  ７  加湿器、  １１  センサ部、  １２  操作部、  １３  ＣＰＵ、  １４  無線送信部、  ２１  温度センサ、  ２２  湿度センサ、  ２３  照度センサ、  ３１  受信部、  ３２  モータ、  ３３  駆動機構、  ３４  遮光部材
【図１】
2007005964.tif 000003
【図２】
2007005964.tif 000004